(57)【要約】  ズボン（１）のベルト布（１０）部分に着脱可能に取り付けられる腰部保護ベルト（３１），（３１０）と、後身頃（３）の腰部に相当する位置に伸縮性生地（１５）を設けたズボン本体（１ａ）とを備えた腰部保護ベルト付きズボン（１）。前記腰部保護ベルト（３１），（３１０）の略中央と、これに対応する前記ズボン本体（１ａ）の腰部背面のベルト布部分とに、前記ズボン本体（１ａ）に対する高さ方向の取付位置を調節可能な位置調節部（７１）が設けられている。
2017073105.tif 000002
【特許請求の範囲】
【請求項１】
ズボンのベルト布部分に着脱可能に取り付けられる腰部保護ベルトと、
後身頃の腰部に相当する位置伸縮性生地を設けたズボン本体と、を備え、
前記腰部保護ベルトの略中央と、これに対応する前記ズボン本体の腰部背面のベルト布部分とに、前記ズボン本体に対する高さ方向の取付位置を調節可能な位置調節部が設けられていることを特徴とする腰部保護ベルト付きズボン。
【請求項２】
前記腰部保護ベルトは、前記ズボン本体の外側に取り付けられていることを特徴とする請求項１に記載の腰部保護ベルト付ズボン。
【請求項３】
前記ズボン本体は、前記ベルト布の左腹部に相当する位置に取り付けられた左腹部面ファスナーと、前記ベルト布の右腹部に相当する位置に取り付けられた右腹部面ファスナーと、を有し、
前記腰部保護ベルトは、長手方向の略中央が前記ベルト布の腰部に相当する位置に取り付けられていると共に、伸縮性を有する部材と、前記長手方向左側に設けられて、少なくとも前記左腹部面ファスナー及び右腹部面ファスナーのいずれか一方と着脱可能に構成された左接続面ファスナーと、を有することを特徴とする請求項１または２に記載の腰部保護ベルト付ズボン。
【請求項４】
前記ズボン本体は、前記ベルト布の左腹部に相当する位置に取り付けられた左腹部面ファスナーと、前記ベルト布の右腹部に相当する位置に取り付けられた右腹部面ファスナーと、を有し、
前記腰部保護ベルトは、長手方向の略中央が前記ベルト布の腰部に相当する位置に取り付けられていると共に、伸縮性を有する部材と、前記長手方向左側に設けられて前記左腹部面ファスナーに着脱可能に構成された左接続面ファスナーと、前記長手方向右側に設けられて前記右腹部面ファスナーに着脱可能に構成された右接続面ファスナーと、を有することを特徴とする請求項１または２に記載の腰部保護ベルト付ズボン。
【請求項５】
前記腰部保護ベルトは、伸縮性を有する部材を有し、長手方向の略中央が前記ベルト布の腰部に相当する位置に取り付けられるとき、前記長手方向の左右両端部位が重なり合う長さを有すると共に、前記重なり合う部位にそれぞれ左連結面ファスナー及び右連結面ファスナーを備え、
前記左連結面ファスナーと前記右連結面ファスナーとが互いに着脱可能に構成されていることを特徴とする請求項１乃至３のいずれか１項に記載の腰部保護ベルト付きズボン。
【請求項６】
前記位置調節部は、雄留め具と雌留め具とを備え、
前記雄留め具及び雌留め具の一方は、前記腰部保護ベルト本体の略中央であって、前記腰部保護ベルト本体の長手方向と略直交する方向に少なくとも２個設けられていると共に、
前記雄留め具及び雌留め具の他方は、前記ズボン本体の腰部に相当する位置に少なくとも１個設けられていることを特徴とする請求項１乃至５のいずれか１項に記載の腰部保護ベルト付きズボン。
【請求項７】
前記位置調節部は、雄留め具と雌留め具とを備え、
前記雄留め具及び雌留め具の一方は、前記腰部保護ベルト本体の略中央に少なくとも１個設けられていると共に、
前記雄留め具及び雌留め具の他方は、前記ズボン本体の腰部に相当する位置であって、上下方向に少なくとも２個設けられていることを特徴とする請求項１乃至５のいずれか１項に記載の腰部保護ベルト付きズボン。
【請求項８】
前記保護ベルト本体は、
伸縮性を有する主ベルトと、
前記主ベルトの左右にそれぞれ縫製されて取り付けられた、伸縮性を有する略Ｖ字状の左補助ベルト及び右補助ベルトを有し、
前記左補助ベルトは、頂部が前記主ベルトの左側で縫製され、両端が前記主ベルトの中央側で連結布を介して縫製されており、
前記右補助ベルトは、頂部が前記主ベルトの右側で縫製され、両端が前記主ベルトに中央側で前記連結布を介して縫製されており、
前記連結布には、前記位置調節手段が設けられていることを特徴とする請求項１乃至７のいずれか１項に記載の腰部保護ベルト付ズボン。
【発明の詳細な説明】
【技術分野】
【０００１】
本発明は、腰部保護ベルトがズボンのベルト部に取り付けられる腰部保護ベルト付ズボンに関する。
【背景技術】
【０００２】
作業者が作業時に着用する腰痛帯としては、特許文献１が知られている。特許文献１の腰痛帯は、弾性芯材からなり骨盤を取り巻く所定帯幅（１０〜１５ｃｍ）の腰背部及び腹位部を備え、骨盤を確実に固定することで腰椎の減圧、腰仙椎結合部の滑りを防止する。【０００３】
また、腰痛帯付きズボンとしては、例えば特許文献２，３が知られている。特許文献２，３は、作業者が腰痛帯をしたまま作業を行うときに、腰痛帯がズボンからずれてしまうのを防止すべく、腰痛帯をズボンと接合させている。また、ズボンと腰痛帯を一体に設けることで、ズボンを脱ぐことなく腰痛帯の位置、締め付け具合を容易に調整でき、腰痛帯を着用して作業するときの利便性を改善している。
【先行技術文献】
【特許文献】
【０００４】
【特許文献１】実公平６−６８１２号公報
【特許文献２】特開２００８−８１８６４号公報
【特許文献３】特開平１０−４６４０９号公報
【発明の概要】
【発明が解決しようとする課題】
【０００５】
特許文献２，３の技術にあっては、腰痛帯とズボンとの相対位置を固定することができる。しかしながら、ズボンそのものが立位姿勢を基準に作られているため、立位時と座位時では、人体に対するズボンのベルト位置がずれてしまう。そのため、着用者が立位姿勢から座位姿勢等に姿勢を変更すると、ベルトに取り付けられた腰痛帯の位置がずれてしまい、腰痛帯を正しい装着位置で維持できないという問題点がある。【０００６】
また、腰部保護ベルトは、着用者の骨盤周辺を覆うようにして取り付けられることが好ましいが、骨盤の位置には個人差もある。従って、着用者ごとに腰部保護ベルトの装着位置を微調整できることが望ましい。
【課題を解決するための手段】
【０００７】
上記課題を解決するため、本願発明の一実施例に係る腰部保護ベルト付きズボンにあっては、ズボン本体と、前記ズボン本体の腰部に対応する位置に設けられた伸縮性生地と、前記ズボン本体のベルト布に取り付けられた腰部保護ベルトと、を備えるように構成した。【０００８】
また、本願発明の別の実施例に係る腰部保護ベルト付きズボンにあっては、ズボンのベルト布部分に着脱可能に取り付けられる腰部保護ベルトと、後身頃の腰部に伸縮性生地を設けたズボン本体と、を備え、前記腰部保護ベルトの略中央と、これに対応する前記ズボン本体の腰部背面のベルト布部分とに、前記ズボン本体に対する高さ方向の取付位置を調節可能な位置調節部が設けられるように構成した。
【発明の効果】
【０００９】
本願発明の一実施例に係る発明は、ズボンの腰部背面に伸縮性生地を設けることとした。このため、着用者が姿勢を変えても人体に対するズボンのベルト位置が変化するのを抑制することができる。即ち、着用者の姿勢変化に伴って伸縮性生地が伸長するため、着用者が姿勢を変えてもベルト位置が変化するのを抑制できる。よって、ベルトに取り付けられた腰部保護ベルトの位置がずれてしまい、腰部保護ベルトを正しい装着位置で維持できないという課題を解決することができる。【００１０】
また、当該実施例に係る発明は、腰部保護ベルトの取り付け位置を調節する位置調節部を設けた。このため、各着用者の体格の個人差に応じ、最適な位置で腰部保護ベルトを利用することができる。
【図面の簡単な説明】
【００１１】
【図１】本願の実施例１に係る腰部保護ベルト付きズボンの正面図である。
【図２】本願の実施例１に係る腰部保護ベルト付きズボンの左側面図である。
【図３】本願の実施例１に係る腰部保護ベルト付きズボンの背面図である。
【図４】本願の実施例１に係る腰部保護ベルト付きズボンにおいて、腰部保護ベルトを外した状態の正面図である。
【図５】本願の実施例１に係る腰部保護ベルト付きズボンにおいて、腰部保護ベルトを外した状態の左側面図である。
【図６】本願の実施例１に係る腰部保護ベルト付きズボンの伸縮性生地周辺の断面を拡大して示した模式図である。
【図７】本願の実施例１に係る腰部保護ベルト付きズボンの前身頃と後身頃と襠部を示す平面図である。
【図８】本願の実施例１に係る腰部保護ベルト付きズボンの展開背面図である。
【図９】本願の実施例１に係る腰部保護ベルト付きズボンの展開正面図である。
【図１０】本願の実施例１に係る腰部保護ベルト付きズボンを着用して腰を曲げた状態を示す説明図である。
【図１１】本願の実施例１に係る腰部保護ベルト付きズボンを着用して椅子に座った状態を示す説明図である。
【図１２】本願の実施例１に係る腰部保護ベルトの正面図である。
【図１３】本願の実施例１に係る腰部保護ベルトの背面図である。
【図１４】本願の実施例１に係る腰部保護ベルト付きズボンの使用形態を示す説明図である。
【図１５】本願の実施例１に係る腰部保護ベルト付きズボンの変形例を示す背面図である。
【図１６】本願の実施例２に係る腰部保護ベルトの正面図である。
【図１７】本願の実施例２に係る腰部保護ベルト付きズボンの背面図である。
【図１８】従来の腰部保護ベルト付きズボンを着用して腰を曲げた状態を示す説明図である。
【図１９】従来の腰部保護ベルト付きズボンを着用して椅子に座った状態を示す説明図である。
【図２０】しゃがみ姿勢又は座位姿勢における後身頃の皮膚伸び量を示す添付資料１である。
【図２１】衣服圧の測定結果を示す添付資料２である。
【図２２】図２１に示す衣服圧の測定箇所を示す添付資料３である。
【図２３】図２２に示す衣服圧の測定結果の一部をグラフで示す添付資料４である。
【発明を実施するための形態】
【００１２】
以下、添付図面に即して本願発明に係る腰部保護ベルト付きズボンを実施するための形態について説明する。
【実施例１】
【００１３】
図１乃至５等に示すように、本願の実施例１に係る腰部保護ベルト付きズボン１は、ズボン本体１ａと、ズボン本体１ａの腰部に対応する位置に設けられた伸縮性生地１５と、伸縮性生地１５を覆う覆い布１６と、腰部保護ベルト３１とを有する。ズボン本体１ａは、前身頃２の股内側縁２ａと後身頃３の股内側縁３ａとが縫製されていると共に、前身頃２の股外側縁２ｂと後身頃３の股外側縁３ｂとが縫製され、前身頃２の上端縁２ｄと後身頃３の上端縁３ｄとにベルト布１０が縫製されている。【００１４】
また、ズボン本体１ａは、図６に示すように、帯状のベルト布１０を半分に折り返し、ベルト布１０の折り返した端縁側１０ａ，１０ａで前記前身頃２の上端縁２ｄと後身頃３の上端縁３ｄを挟み込み、ベルト布１０の折り返した端縁側１０ａ，１０ａと前記前身頃２及び後身頃３の上端縁２ｄ，３ｄを縫製して、環状のベルト部１１が形成されている。前身頃２、後身頃３及びベルト布１０は、布帛等の伸縮性をほとんど備えていない生地で形成されている。【００１５】
なお、図１乃至５に示すように、腰部保護ベルト付きズボン１のズボン本体１ａは、左右一対の前身頃２及び左右一対の後身頃３に加え、内股側の襠部５を縫い合わせたものとしても良い。襠部５は、右足部分６の裾から左足部分７の裾まで連続して設けられ、前身頃２の股内側縁２ａと後身頃３の股内側縁３ａの間で縫製されている（図７等参照）。なお、この明細書にあっては、別段の定めのない限り、ズボン１を履いた着用者から見た方向に沿って左右を表現する。また、図２，５において、紙面右側は前側Ｆ、紙面左側は後側Ｒを示す。【００１６】
ここで襠部５は、図７等に示すように、裁断された１つのパーツからなる。ズボン本体１ａは、前記襠部５に、裁断された前身頃２，２と後身頃３，３とを縫い合わせることで製作される。即ち、ズボン本体１ａは、左右それぞれの襠部５の前側縁５ａと前身頃２の股内側縁２ａとを縫製し、襠部５の後側縁５ｂと後身頃３の股内側縁３ａとを縫製し、左右の前身頃２の股外側縁２ｂと後身頃３の股外側縁３ｂと縫製し、更に、左右の前身頃２の胴部側端縁２ｃ、２ｃ同士をチャック部材（図示せず）を介して縫い合わせ、左右の後身頃３の胴部側端縁３ｃ、３ｃ同士を縫製して胴部を拵えることにより作製されている。【００１７】
上記のように、本実施例に係るズボン本体１ａに襠部５を設けた場合、ズボン本体１ａの脚部の可動範囲が拡がり、着用者のしゃがむ動作等がし難くなることを抑制できる。よって、着用者の腰部等に余計な負荷がかかることをより一層回避することができる。【００１８】
また、図４に示すように、ズボン本体１ａは、環状のベルト部１１の長手方向（着用者の胴回りの方向）の一部、例えば、ズボン本体１ａの着用者の腰の左右の側部に対応する部位に弾性体１３を設けて伸縮自在に構成されている。この弾性体１３はゴム紐等からなり、筒状のベルト布１０の内側に縫製等により設けられている（図８参照）。【００１９】
また、図５等に示すように、ズボン本体１ａには、腰部保護ベルト３１を通す複数のベルト通し２１が設けられている。複数のベルト通し２１は、ベルト部１１の外周に縫製により取り付けられ、ベルト通し２１を通した腰部保護ベルト３１によってズボン本体１ａをウエストで適当に締め付けることにより、ズボン本体１ａの落下を防ぐことができる。なお、ベルト通し２１には、一般的なベルトを通すこともできる。【００２０】
また、ベルト布１０の左腹部に相当する位置には、左腹部面ファスナー２５が縫製により固定して取り付けられている。一方、ベルト布１０の右腹部に相当する位置には、右腹部面ファスナー２６が縫製により固定して取り付けられている。【００２１】
さらに、図８，９に示すように、ズボン本体１ａの後身頃３，３の上部、即ち、ズボン本体１ａの着用者の腰部からでん部の上側に対応する部位には、切り欠き（スペース）１２が形成されている。具体的には、ズボン本体１ａの後身頃３，３のベルト部１１の下に、横方向において背骨（仙骨部）を中心として仙骨部の幅の１．５倍〜３倍程度の長さ（ほぼ３０ｃｍ）、及び、上下方向において仙骨部の長さの１．０倍〜１．５倍程度のスペース１２が形成されている。当該スペース１２には、上記した伸縮性生地１５と覆い布１６が設けられている。図９に示すように、伸縮性生地１５は矩形状に形成されており、その上端縁１５ａが、環状のベルト部１１の下部、即ち、ベルト布１０の折り返した端縁側１０ａ，１０ａに挟み込まれて縫製されている（図６参照）。また、伸縮性生地１５は、この下端縁１５ｂ及び左右両端縁１５ｃ、１５ｄが後身頃３，３に縫製されている。【００２２】
なお、伸縮性生地１５は、ある程度の伸縮性と、弾力性と強度を備えた生地、例えばパワーネット生地等で構成されている。一般的に、パワーネット生地とは、ストレッチ性を備えた細かいネット状の編物である。ナイロン等の繊維とポリウレタンの弾性繊維とをお互いに交編して生成されており、伸びたときのキックバック性に優れている。但し、本願発明に係る伸縮性生地１５がパワーネット生地に限定されるものでないことは勿論である。【００２３】
覆い布１６は、幅寸法（横方向の寸法）が伸縮性生地１５とほぼ等しく、上下方向の寸法が伸縮性生地１５の上下方向の寸法よりも大きい矩形状に形成されている。覆い布１６は、図６に示すように、横方向（幅方向）に伸びた複数の折り目１７のところで山折り及び谷折りで１８０度折り返されて襞状もしくはジャバラ状に形成されている（プリーツになっている）。なお、襞状になっている覆い布１６の上下方向の寸法は、伸縮性生地１５の上下方向の寸法とほぼ等しくなっている。覆い布１６は、後身頃３，３と同様に、布帛等の伸縮性をほとんど備えていない生地で形成されている。【００２４】
覆い布１６は、ズボン本体１ａの着用者の腰部に対応する部位で、伸縮性生地１５に重ねられて設けられている。覆い布１６は、伸縮性生地１５と共に、この上端縁１６ａが、環状のベルト部１１の下部、即ち、ベルト布１０の折り返した端縁側１０ａ，１０ａに挟み込まれて縫製されている。覆い布１６は、伸縮性生地１５と共に、この下端縁１６ｂ及び左右両端縁１６ｃ、１６ｄが後身頃３，３に縫製されている。【００２５】
さらに、覆い布１６は、各折り目１７のうちで上から偶数本目の谷折り側の折り目１７Ｂ，１７Ｄのところもしくはその近傍で、横方向の全長にわたって伸びた縫い目１８で伸縮性生地１５に一体的に縫合されている。また、覆い布１６の第１の折り目１７Ａの近傍と第３の折り目１７Ｃの近傍とに、覆い布１６の幅の全長にわたって延びている縫い目１９が設けられており、覆い布１６が互いに重なっている。これにより、折り目１７Ａ，１７Ｃの形状が維持されるようになっている。覆い布１６は、プリーツ状に形成されているので、色落ちが少なく、縫い目１８が隠れて糸切れが生じ難い。【００２６】
伸縮性生地１５と覆い布１６は、伸縮性生地１５と覆い布１６との上端縁１５ａ，１６ａと伸縮性生地１５と覆い布１６との下端縁１５ｂ、１６ｂが上下方向に引っ張られると、伸縮性生地１５が弾性変形し、覆い布１６の折り返された襞が拡がって、上下方向に伸びる。なお、覆い布１６は、折り返された襞が拡がって折り目１７が消滅すると、上下方向に伸びなくなるので、覆い布１６と一体となっている伸縮性生地１５もそれ以上は伸びない。【００２７】
上述した伸縮性生地１５と覆い布１６とで、上下方向に伸縮する腰部伸縮部２０を構成する。伸縮性生地１５は、覆い布１６の内側（ズボン本体１ａの着用者の腰側）に設けられ、覆い布１６と重なっているので、ズボン本体１ａの外側から見えないようになっている。即ち、腰部保護ベルト付きズボン１は、伸縮性生地１５が外から見えない状態となっており、ズボンの外観を損なわない。また、覆い布１６が襞状に形成されているので、覆い布１６が折り畳まれた状態から展開でき、伸縮性生地１５の伸縮の弊害にはならない。【００２８】
腰部保護ベルト付きズボン１は、ベルト布１０に取り付けられた腰部保護ベルト３１により、腰痛の予防と、腰痛の軽減と、腰痛後の腰の保護を行うことができる。また、腰部保護ベルト３１がズボン本体１ａと一体となっているため、ズボン本体１ａが膨れることがなく、スマートさを維持できると共に、ズボン本体１ａが破れ難く、動きに支障が出ない等の快適性を備えている。【００２９】
しかし、通常、ズボンは着用者の直立姿勢を基準に作成されており、前後の身頃の上下寸法はほぼ等しく形成される。このため、一般的なズボンにあっては、着用者が座位姿勢やしゃがみ姿勢を取って腰部後背部の皮膚が延びると、ズボン生地が皮膚の伸びに追随できず、ズボンの後背部（後身頃３、ベルト部１１）がずり下がってしまう（図１８，１９参照）。この結果、ベルト布に通常のベルトや腰部保護ベルト３１を設けた場合、着用者の姿勢に応じてベルトや腰部保護ベルト３１の装着位置も一緒にずれてしまうという問題点がある。【００３０】
これに対し、本願の実施例に係る腰部保護ベルト付きズボン１にあっては、ズボン本体１ａに伸縮性生地１５が設けられているので、図１０，１１に示すように、腰部保護ベルト付きズボン１の着用者がしゃがむ等によりズボン本体１ａが下方に引っ張られても、伸縮性生地１５及び覆い布１６が適宜伸びることにより、ズボンのベルト部１１が下方に引っ張られることがない。換言すれば、腰部保護ベルト３１の装着位置がずれることがないため、腰部保護ベルト３１を常に着用者の骨盤位置に保持することができ、よって腰部保護ベルト３１としての機能を確保することができる。また、伸縮性生地１５は、姿勢変化時の腰部の皮膚の伸びに追随するので、高い運動性能を確保できると共に、装着時の快適性を損なうこともない。【００３１】
また、伸縮性生地１５は、上端縁１５ａがベルト布１０に縫製され、下端縁１５ｂが後身頃３に縫製されてズボン本体１ａに設けられているので、腰部保護ベルト３１とズボン本体１ａの間に伸縮性生地１５が設けられる形となり、装着の快適性がさらに向上する。【００３２】
このように、腰部保護ベルト付きズボン１は、伸縮性生地１５と覆い布１６が着用者の腰部のところに設けられているので、目立たなくなっている。また、着用者の運動に伴って伸縮性生地１５及び覆い布１６が適宜伸縮するので、着用者が運動しやすく、かつ腰部保護ベルト３１がずれ難くなっている。さらに、伸縮性生地１５でのピリングやスナッキングが発生しないので、長時間の着用に耐え得るようになっている。【００３３】
なお、本明細書において「腰部」とは、ズボン１の着用者の骨盤における前方に突出した部位（一般的に「上前腸骨棘」と呼ばれる部位）の付近を示している。そして、腰部保護ベルト３１は、腰部に対応する位置に装着することで、腰痛の発生防止効果を最も引き出すことができる。【００３４】
さらに、当該効果を引き出すため、本実施例にあっては、ズボン１の股下（ベルト布１０下端から股部上端における部位）を大幅に浅く（例えば、従来のズボンに比して５ｃｍほど短く）形成することで、ズボン装着時にベルト布１０が自然に腰部の位置にくるようにしている。ベルト布１０が腰部に位置することで、ベルト布１０に取り付けられる腰部保護ベルト３１も腰部に位置し、腰部保護の効果を高めることができる。【００３５】
即ち、通常のズボンのベルト布位置はウエストと骨盤位置の間に位置している。このため、ベルト布に腰部保護ベルトを設置しても、腰痛緩和・腰痛予防の効果を得ることはできない。しかし、本実施例にあっては、ズボン１の股上を浅くし、ベルト布の位置が骨盤位置に対応するようにしている。このため、腰部保護ベルト３１を通常の腰ベルトのように装着した場合に骨盤位置を取り巻く位置に設置でき、腰部保護ベルト３１の腰痛緩和・腰痛予防の効果を得ることができる。【００３６】
また、通常のズボンでは、股下を浅く形成すると、座位姿勢やしゃがんだ姿勢等をとった場合、ズボンの腰部が一層下方に引っ張られる。しかし、腰部保護ベルト付きズボン１は、腰部に腰部伸縮部２０（伸縮性生地１５、覆い布１６）が設けられているので、ズボン本体１ａのベルト布１０の位置が腰部からずれて下がることがない。即ち、座位姿勢やしゃがんだ姿勢等をとった時に、図１０のように腰部伸縮部２０が適宜伸びるので、腰部保護ベルト３１が腰部からずれ下がることなく常に腰部に対応する位置に配置され、腰部保護ベルト３１が腰部の全周に亘って巻き付けている状態を維持することができる。このように、腰部保護ベルト３１は腰部に対応する位置だけを締め付けることができるため、安定した腰痛の発生防止効果を得ることができる。【００３７】
また、図１９に示すように、腰部伸縮部２０（伸縮性生地１５、覆い布１６）を備えていない通常のズボンの場合、着用者が座位姿勢やしゃがんだ姿勢等をとり着用者の腰部や臀部の皮膚が伸びたとき、皮膚の伸びにズボンが追随できず、ズボンの後ベルト部１１ｂが下方にずり下がって着用者の腰部との間に隙間が生じ、シャツがはみ出してしまう場合がある。また、後ベルト部１１ｂが下方に引っ張られることで、前ベルト部１１ａによって着用者の腹部が過度に圧迫される虞がある。【００３８】
しかしながら、本実施例に係るズボン１にあっては、着用者が座位姿勢やしゃがんだ姿勢等をとった場合であっても、皮膚の伸びに追随して伸縮性生地１５が適宜伸びる。このため、ズボンの後ベルト部１１ｂが下にずり下がって着用者の腰部との間に隙間が生じるのを防ぐことができると共に、腰部保護ベルト付きズボン１のベルト部１１（より正確には、前ベルト部１１ａ）による着用者の腹部への圧迫を低減できる。なお、腰部保護ベルト３１を使用せず通常のベルトを着用した場合であっても、ベルト部１１の位置を着用者の骨盤位置に保持できるので、腹部に過度な腹圧がかかるのを抑制することができ、よって腰痛の予防、発生防止、腰痛緩和の効果を有する。【００３９】
さらに説明をすると、腰部保護ベルト付きズボン１の着用者がしゃがんだ姿勢等をとると、腰部保護ベルト付きズボン１の腰部から臀部（上から下）に向かうに従って、皮膚の伸びる量が多くなる（臀部上方よりも臀部下部（臀溝部）のほうが皮膚の伸び率が大きい）。そこで、図６に示すように、本実施例にあっては、腰部伸縮部２０の上側（伸縮性生地１５の上端縁１５ａと覆い布・伸縮性生地接合部位１８Ａとの間）よりも下側（覆い布・伸縮性生地接合部位１８Ａと覆い布・伸縮性生地接合部位１８Ｂとの間）で伸縮性生地１５が大きく伸びるようにした。これにより、腰部保護ベルト付きズボン１の着用者がしゃがんだ姿勢等になったときに発生する腰部や臀部の違和感や腹部の圧迫感を低減することができ、腰痛の発生を防止することができる。【００４０】
さらに、腰部保護ベルト付きズボン１の着用者が腰を屈曲したことで着用者の腰部等の皮膚が上下方向で延びて、伸縮性生地１５が皮膚の伸びに応じて伸びても、襞状の覆い布１６も同様に伸びるので、伸縮性生地１５が露出せず、また、伸縮性生地１５と覆い布１６との伸びにより腰部保護ベルト付きズボン１のベルト部１１の後側の後ベルト部１１ｂと着用者の腰部との間に間隙が形成されることを抑制できる。【００４１】
この結果、腰部が露出するのを防ぎ、腰部を保温することができる。また、作業中に当該間隙からズボン１内に汚物や破片、火花等が入り込むことを抑制することができる。また、ズボン１からシャツ等がはみ出して見栄えが悪化することを防止できると共に、機械等に巻き込まれてしまう虞を低減できる。さらに、伸縮性生地１５を備えることで、汗で腰部保護ベルト付きズボン１が着用者の皮膚に張り付いても、しゃがむ動作がし難くなることを抑制できる。【００４２】
本実施例の腰部保護ベルト付きズボン１により、腰痛になっている、腰痛予備軍、現在は健常でもその作業が職業性腰痛症の発症原因となる「重量物の取り扱い」、「中腰、前傾姿勢等の不良姿勢」、「長時間の拘束座位姿勢」および「全身震動」等を行う作業者が、腰部保護ベルト３１をつけたままでその機能を損なうことなく作業を行うことができる。従って、会社における事務作業等の軽作業（たとえば、デスクワークを専らとする作業、スーパーマーケットの店員の作業、家電量販店員の作業、ウェイターの作業、調理師の作業、パチンコ店のホールスタッフの作業、清掃業者の作業等）の際に、従業員等が履いて作業を行う軽作業用ズボン（スラックス、トラウザーズ、パンツいわゆる通常ズボン）に適している。【００４３】
図８，１２に示すように、腰部保護ベルト３１は、ベルト布１０の腰部背面に設けられた着脱部４０によって着脱可能に取り付けることができる。ベルト布１０の腰部背面に着脱部４０を設けた場合、腰部保護ベルト付きズボン１は、ズボン本体１ａから腰部保護ベルト３１を外して洗濯、交換することができる。着脱部４０は、例えば、雄留め具４０ａ，４０ａと、当該雄留め具４０ａ，４０ａを着脱自在に係合する雌留め具４０ｂ，４０ｂとからなるスナップボタンとすることができる。かかる場合、腰部保護ベルト３１には、雄留め具４０ａ，４０ａ及び雌留め具４０ｂ，４０ｂの一方（図１３では雄留め具４０ａ）が設けられ、ベルト布１０の腰部背面に雄留め具４０ａ，４０ａ及び雌留め具４０ｂ，４０ｂの他方（図１２では雌留め具４０ｂ）が設けられる。腰部保護ベルト３１に設けられた雄留め具及び雌留め具の一方（雄留め具４０ａ）を前記ベルト布１０の腰部背面に設けられた雄留め具及び雌留め具の他方（雌留め具４０ｂ）に係合させることにより、腰部保護ベルト３１が前記ベルト布１０に着脱可能に取り付けられる。なお、腰部保護ベルト３１は、ベルト布１０に縫製されて取り付けられるものであっても良い。【００４４】
このように、本実施例の腰部保護ベルト３１は、ズボン本体１ａの外側に取り付ける構成となっている。即ち、ズボンの中に腰部保護ベルト３１を着用していると、ずれたときにズボン１を脱いで直さなければならないが、本実施例に係る腰部保護ベルト３１にあっては、ズボン本体１ａに外付けする構成となっているため、必要なときに、容易に締めたり緩めたりすることができる。また、後述するように、締め具合も自由に調節することができる。さらに、腰部保護ベルト３１がズボン１の中にないので、着用時の違和感が少なく腰部保護ベルト３１を意識しなくて済む。【００４５】
また、腰部保護ベルト３１は、図１２，１３に示すように、保護ベルト本体３２が、伸縮性を有する主ベルト３３と、主ベルト３３の左右に縫製されて取り付けられた、伸縮性を有する略Ｖ字状の左補助ベルト５１及び右補助ベルト６１とを有する。【００４６】
主ベルト３３は、幅が約５．５ｃｍ程度で長さが約６０ｃｍ程度の２本のゴム帯が重ねられて形成されている。主ベルト３３の右端３４側には、右連結帯４５が縫製されて取り付けられている。右連結帯４５は、非伸縮性の生地が折り返されて、幅が約５．５ｃｍ程度で長さが約２７ｃｍ程度に形成され、主ベルト３３の右端３４側を挟み込むようにして、縫製されている。右連結帯４５の内側（着用者側）には、右連結面ファスナー４６が全面に縫製されて設けられている。【００４７】
また、主ベルト３３の左端３５側には、左連結帯４１が縫製されて取り付けられている。左連結帯４１は、非伸縮性の生地が折り返されて、幅が約５．５ｃｍ程度で長さが約１５ｃｍ程度に形成され、主ベルト３３の左端３５側を挟み込むようにして、縫製されている。左連結帯４１の内側（着用者側）には、部分的（図示の例にあっては、左側の約半分）に左接続面ファスナー４２が縫製されて設けられている。また、左連結帯４１の外側（反着用者側）の全面には、左連結面ファスナー４３が縫製されて設けられている。【００４８】
なお、腰部保護ベルト３１によって腰部を十分に保護するためには、少なくとも骨盤部分を支えること、及び、前腹部において適切に腹圧を維持することが必要であると考えられている。また、本実施例に係る腰部保護ベルト３１にあっては、着用者の動きを可能な限り限定せず、かつ、ベルト部１１に設置することを考慮し、ベルト３１の幅を４．８〜１１ｃｍの範囲に設定した。そして、後述するように、特に幅広が要求されると思われる腰背部については、補助ベルト５１，６１を主ベルト３３に重ねて骨盤を広く覆うようにしている。なお、本実施例に係る腰部保護ベルト３１にあっては、支柱材は省略している。また、主ベルト３３の端部同士を重なり合わせ、ファスナー（左接続面ファスナー４２、左連結面ファスナー４３、右連結面ファスナー４６）でしっかり留めることにより、腰部保護に重要な要素である腹圧の維持を実現している。【００４９】
図１２，１３に戻って説明を続けると、腰部保護ベルト３１は、左連結帯４１、主ベルト３３、及び右連結帯４５によって主帯４８が構成され、左連結帯４１の左端から右連結帯４５の右端までの長さが約１ｍ程度となっている。この主帯４８の略中心は、主ベルト３３の中心に対して右連結帯４５側に位置している。【００５０】
左補助ベルト５１は、略Ｖ字状に折り畳まれ、折り目５２が主ベルト３３の左側に縫製されている。左補助ベルト５１は主ベルト３３と略同一幅を有するため、折り目５２は主ベルト３３の上端３３ｃ及び下端３３ｄからはみ出ない。また、左補助ベルト５１の両端５３，５５は、主帯４８の略中心まで伸び、主ベルト３３と共に連結布７０に縫製されている。両端５３，５５は、略Ｖ字状に折り畳まれているので、主ベルト３３の上端３３ｃ及び下端３３ｄから突出する。なお、連結布７０は、例えば幅が約２．５ｃｍの非伸縮性の布からなる。【００５１】
右補助ベルト６１は、略Ｖ字状に折り畳まれ、折り目６２が主ベルト３３の右側（より詳しくは、右端３５）に縫製されている。右補助ベルト６１は主ベルト３３と略同一幅を有するため、折り目６２は主ベルト３３の上端３３ｃ及び下端３３ｄからはみ出ない。また、右補助ベルトの両端６３，６５は、主帯４８の略中心まで伸び、主ベルト３３共に連結布７０に縫製されている。両端６３，６５は、略Ｖ字状に折り畳まれているので、主ベルト３３の上端３３ｃ及び下端３３ｄから突出する。【００５２】
なお、一般的な腰部保護ベルトでは、背部は帯の中央が最も幅広に設けられており、これにより骨盤全体を包み込む形状となっている。また、人体の腰背部は筋肉量が多く、骨性支持が強固であることから圧迫は不要である。そのため、弾性芯材や支持部材等の硬い部材を設けることにより、背筋の支持や背柱を安定させている。本実施例においても、Ｖ字状の左右補助ベルト５１，６１により、帯の中央が最も幅広となる形状を実現している。また、腹部に相当する位置の内側及び外側にそれぞれ連結体４１，４５を設けて、厚く硬い構造を実現することにより、背筋の支持や背柱を安定させる効果を達成している。【００５３】
腰部保護ベルト３１は、長手方向の略中央が前記ベルト布１０の腰部に位置する部位に取り付けられる。また、このとき、長手方向の左右両端部位が重なり合う長さを有し、当該重なり合う重合面にそれぞれ左連結面ファスナー４３と右連結面ファスナー４６が設けられている。即ち、腰部保護ベルト３１の左端側の左連結面ファスナー４３に右端側の右連結面ファスナー４６を着脱可能に連結して腰部を保護する。なお、左連結面ファスナー４３は、左接続面ファスナー４２の裏面（外側）に設けられている。【００５４】
ここで、図１４等を参照しながら、本実施例に係る腰部保護ベルト３１の取り付け方を説明する。【００５５】
腰部保護ベルト付きズボン１は、通常のズボンと同様に履き、図１から３に示すように、左連結帯４１及び右連結帯４５をベルト通し２１に通す。そして、図１４に示すように、先ず主ベルト３３、左補助ベルト５１を弾性に抗して伸長させて左連結帯４１を引き出し、左連結帯４１に設けた左接続面ファスナー４２を、ベルト部１１の左腹部面ファスナー２５又は／及び右腹部面ファスナー２６に着脱可能に接続する。これにより、ズボン本体１ａ（ベルト部１１）に対して、腰部保護ベルト３１の位置決め（仮締め）をすることができる。【００５６】
次いで、主ベルト３３、右補助ベルト６１を弾性に抗して伸長させて右連結帯４５を引き出し、右連結帯４５に設けた右連結面ファスナー４６を左連結帯４１に設けた左連結面ファスナー４３に重ねて着脱可能に連結させる。このようにして、腰部保護ベルト付きズボン１は、腰部保護ベルト３１を腹部全周に圧迫するようにして巻き付けることができる。なお、左連結面ファスナー４３は、幅方向に長く形成されているので、右連結面ファスナー４５の取付位置を変えて、着用者の体型に合わせて主ベルト３３、左右補助ベルト５１，６１の弾性力を調節することができる。【００５７】
なお、一般的な腰部保護ベルトにおいては、着用者の腹側において、保護ベルトの端部を重ねて面ファスナー等で固定しており、腹部全周を締めている。腰部保護ベルトが重なっていない構成では腹圧を均一にかけることができず、腰痛緩和・腰痛予防効果が十分に得られないためである。従って、本実施例においても同様に、１本の腰部保護ベルトの端部を重ねて腹部全周を締める構成としている。【００５８】
また、近年の腰部保護ベルトにあっては、保護ベルト本体の外側に補助ベルトを設けたものが多く採用されている。即ち、保護ベルト本体を締めた後、補助ベルトで再度強く締めることにより、骨盤の安定を更に高める効果を奏している。そこで、本実施例では、ズボン１のベルト部１１の腹部面ファスナー２５，２６と腰部保護ベルト３１の左接続面ファスナー４２とにより腰部保護ベルト３１を仮締め（位置決め）した後、腰部保護ベルト３１の端部（即ち、左右の連結面ファスナー４３，４６）同士を重ねて連結することにより、本締めする構造としている。これにより、ズボン１のベルト部１１と腰部保護ベルト３１によって骨盤を強く締めることができ、上記他の腰部保護ベルト及び補助ベルトと同様の効果を発揮している。【００５９】
また、本実施例に係る腰部保護ベルト３１は、連結布７０付近が腰部に当接して腰部を保護するが、連結布７０に主ベルト３３を中心とした上下の位置で補助ベルト５１，６１の両端５３，５５，６３，６５が縫製され、主ベルト３３と２つの補助ベルト５１，６１の３つが展開された形で幅広くなっており、腰部を主ベルト３３のみで局部的に保護するのではなく、主ベルト３３と二つの補助ベルト５１，６１で腰部を全体的にサポートする。従って、腰痛を和らげる効果と腰の保護効果を高め、着用者に一層の安心感を与えることができる。【００６０】
また、腰部保護ベルト付きズボン１は、前記腰部保護ベルト３１と、当該腰部保護ベルト３１を着脱可能に取り付けるズボン本体１ａとからなるので、ズボン本体１ａを腰部保護ベルト３１の形状に合わせてデザインすることができ、外観を整え、印象深い外観にすることができる。【００６１】
なお、図１２，１３において、主ベルト３３を内側（利用時において着用者側）、左右の補助ベルト５１，６１を外側（利用時において着用者と反対側）に設けているが、本願発明に係る腰部保護ベルト３１の形態はこれに限定されるものではない。例えば、主ベルト３３を外側、左右の補助ベルト５１，６１を内側に設けても良い。かかる場合、主ベルト３３の外側表面に刺繍やロゴなどの装飾を施して、腰部保護ベルト３１の外観の見栄えを良くすることもできる。また、着用者が好みによって使い分けられるよう、リバーシブルな構成としても良い。【００６２】
また、図９，１５に示すように、ズボン本体１ａには、左右の臀部に相当する位置に一対の後ポケット２２，２３が設けられている。後ポケット２２，２３は、たとえば、玉縁ポケットになっており、伸縮性生地１５と覆い布１６との左右端の下方に位置している。ここで、図１５の変形例に示すように、伸縮性生地１５と覆い布１６は、ズボン本体１ａの左右方向において、左端１５ｃ、１６ｃの位置が左側の後ポケット２２の中心にほぼ一致し、右端１５ｄ、１６ｄの位置が右側の後ポケット２３の中心にほぼ一致していることが望ましい。【００６３】
一般的に、軽作業用ズボンは人間のウエストよりも下にその上端（ウエスト部）があり、後ポケット２２，２３はさらにその下のミドルヒップよりやや下に開口部が設けられる。この位置でのヒップ周長はウエストの周長よりも約２５％程度幅広になっている。よって、伸縮性生地１５及び覆い布１６は、両端がポケット２２，２３の中心に一致していれば、図１５に記載されるように、比較的狭いものとなる。【００６４】
図２０に示す添付資料１は、伸縮性生地１５と覆い布１６の左右両端の位置が左右の後ポケット２２，２３の中心にほぼ一致していることが望ましいことを確認する為に行った実験結果を示すグラフである。なお、本実験における被験者は、身長１６９ｃｍ、ウエスト８０ｃｍであり、Ｌサイズ（ウエスト８０〜８５ｃｍ用）のズボンを履いており、そのポケット中心間の間隔は２７．３ｃｍである。図２０において、直線は被検者がしゃがみ姿勢を取った場合の結果を、破線は被検者が座位姿勢を取った場合の結果を、それぞれ示す。【００６５】
本実験では、被験者が直立姿勢から、しゃがみ姿勢又は座位姿勢に姿勢を変えたときの、腰部後身頃の皮膚伸び量を測定したものである。図２０において、中心が背骨の位置（後身頃中心）に相当し、横軸の数字は、背骨位置から測定位置までの左右方向の距離を表す。縦軸は、その位置での皮膚の伸び量を表す。なお左右後ポケット２２，２３の中心間の間隔は２７．３ｃｍであるので、左右後ポケット２２，２３の中心位置は後身頃中心から左右に約１３．７ｃｍ離れた点に位置する。【００６６】
同図から、例えばしゃがみ姿勢を取ったとき、後身頃中心では、１．７ｃｍの皮膚伸びが生ずるが、中心から８．１ｃｍ程度離れた位置では前記伸びは約半分になり、１３．５ｃｍ程度離れた部位では伸びは零になることが理解される。同様に、座位姿勢を取ったとき中心では、１．２ｃｍの皮膚伸びが生ずるが、中心から８．１ｃｍ程度離れた位置では前記伸びは約半分になり、１３．５ｃｍ程度離れた位置では伸びは零になることが理解される。換言すれば、本実験結果から、中心から１３．５ｃｍ以上離れた場所に伸縮性生地１５を設ける必要がないことが理解できる。【００６７】
上記したように、伸縮性生地１５の長さを、左右後ポケット２２，２３の中心間の間隔２７．３ｃｍにほぼ一致させると、伸縮性生地１５の端は後身頃中心から左右に約１３．７ｃｍ離れた点に位置する。この結果、皮膚伸びが生ずる範囲には伸縮性生地１５を設け、生じない部分には設けなくすることができ、屈曲姿勢の際の皮膚伸びに伴う生地の引っ張りを最小限の伸縮性生地１５でもって解消することができる。従って、腰部保護ベルト付きズボン１は、無駄な伸縮性生地１５の使用を避けることが出来る。  【００６８】
なお、一般的に後ポケット２２，２３の配置はズボンの種類に因らず一定であるところ、上記実験により、皮膚伸び量がゼロになる地点がズボンの種類に因らずほぼ後ポケット２２，２３の中心に来ることを見出した。即ち、腰部保護ベルト付きズボン１は、伸縮性生地１５の長さを左右後ポケット２２，２３の中心間の間隔にすることにより、最小の長さ（幅）の伸縮性生地１５で、座位姿勢等における後ベルト部１１ｂの引っ張り及びずり下がりを防止できると共に、前ベルト部１１ａにおける腹部圧迫を低減することができる。【００６９】
図２１（添付資料２）は、ズボン本体１ａを履いたときにおける着用者の腹部や腰部における衣服圧の測定結果等を示す。衣服圧の測定は、着用者がズボン本体１ａもしくは従来のズボンを履き、ベルト部１１の外周のベルト通し２１にベルトを通してベルトを設置し、ベルトでズボン本体１ａが落下しないようにウエストを適宜締め付けた状態で、ベルト部１１とベルトとの間に、圧力センサを設置して行った。【００７０】
圧力センサの設置位置は、図２２（添付資料３）で示すように、左肩甲骨直下部Ｐ１、左腋直下部Ｐ２、左乳頭直下部Ｐ３、正中線部Ｐ４、右乳頭直下部Ｐ５、右腋直下部Ｐ６、右肩甲骨直下部Ｐ７の７箇所とした。着用者は、直立姿勢（起立姿勢）、立て膝姿勢、椅子座位姿勢をとり、それぞれ圧力センサでベルトとベルト部１１との間の圧力を測定した。なお、ズボン本体１ａにおける直立姿勢での圧力の測定は省略している。【００７１】
着用者（被検者）は、Ａ，Ｂの２名である。被検者Ａは、身長１７２ｃｍ、体重７８ｋｇ、ウエスト８８ｃｍの体格の男性である。被検者Ｂは、身長１６９ｃｍ、体重７２．５ｋｇ、ウエスト９０ｃｍの体格の男性である。なお、図２４に示した値（単位はｋＰａ）は、平均値である。この平均値は、１０秒間の測定時間における平均値であり、より具体的には、１０秒間で１秒毎に１１回測定した圧力の平均値である。【００７２】
図２１（I）は、被検者Ａ従来の普通のパンツを履いて、直立姿勢、立て膝姿勢、椅子座り姿勢をとったときの、圧力の測定結果（７箇所の測定結果）を示している。 図２１（II）は、被検者Ａがズボン本体１ａを履いて、立て膝姿勢、椅子座り姿勢をとったときの、圧力の測定結果（７箇所の測定結果）を示している。 図２１（III）は、被検者Ｂが従来の普通のパンツを履いて、直立姿勢、立て膝姿勢、椅子座り姿勢をとったときの、圧力の測定結果（７箇所の測定結果）を示している。 図２１（IV）は、被検者Ｂがズボン本体１ａを履いて、立て膝姿勢、椅子座り姿勢をとったときの、圧力の測定結果（７箇所の測定結果）を示している。【００７３】
図２１から明らかなように、直立姿勢に比べて、立て膝姿勢、椅子座り姿勢をとったときのほうが、圧力センサの検出した圧力（衣服圧）が大きくなっている。また、被検者Ａ，Ｂの個人差はあるが、通常のパンツの衣服圧とズボン本体１ａの衣服圧とを比べると、特に立て膝姿勢をとったときに、着用者の前面（腹側）にかかる衣服圧が、ズボン本体１ａで低減されている。なお、椅子座り姿勢をとったときにおいても、立て膝姿勢ほどではないが、着用者の前面（腹側）にかかる衣服圧が、ズボン本体１ａで低減されている。【００７４】
さらに、衣服圧については、一般的に３．９２ｋＰａが許容限界とされているが、ズボン本体１ａでは、最大の値が２．８３ｋＰａであり、いずれの衣服圧も上記許容値を下回っている。これにより、ズボン本体１ａでは、着用者の、腰痛の発生の防止等の上述した効果に加えて、血圧の上昇、脈拍の上昇、発汗等の生理現象、倦怠感、頭痛、嘔吐感を抑制することができる。【００７５】
図２３に示す、添付資料４は、図２１（III）（IV）をグラフで表したものである。このグラフにおいて、点Ｐ３，Ｐ４，Ｐ５は、左乳頭直下、正中線部、右乳頭直下を示し、その棒グラフは各点での被服圧を示す。これらの点Ｐ３，Ｐ４，Ｐ５は被験者の体において、後身頃に伸縮性生地１５を設けた位置の正面側に位置する点である。【００７６】
これらの点の衣服圧は、椅子座り姿勢を取ると直立姿勢の場合よりも、上昇するが、その上昇度合いは、伸縮性生地１５を設けることにより当該生地を設けない場合よりも小さくなることが分かる。また、点Ｐ１、Ｐ７は左肩甲骨直下、右肩甲骨直下を示し、これらの点Ｐ１、Ｐ７は、被験者の体において、後身頃に伸縮性生地１５を設けた位置の背面側に位置する点である。【００７７】
これらの点の衣服圧は、椅子座り姿勢を取ると直立姿勢の場合よりも、減少するが、その減少度合いは伸縮性生地を設けることにより当該生地を設けない場合よりも小さくなることがわかる。このことから、ズボン本体１ａは、通常ズボンに比べ、椅子座り姿勢において、身体の正面側の衣服圧が増大しない（即ち、腹部を圧迫しない）と共に、身体の背面側の衣服圧が減少しない（即ち、引っ張り及びずり下がりが発生しない）ことがわかる。【００７８】
このように、腰部保護ベルト付きズボン１は、軽作業用ズボン（通常ズボン）において、しゃがんだ姿勢をとったとき等に、ベルト部１１等のズボンの後側の後ベルト部１１ｂと着用者の腰部に間隙が形成されるのを防止すると共に、ズボンの前側の前ベルト部１１ａにおける腹部圧迫を低減できるよう、後身頃の皮膚が伸びる位置に腰部伸縮部２０が設置され、皮膚の伸びにズボン（伸縮部）を追随させるようにしている。腰部保護ベルト付きズボン１は、座位姿勢等における後ベルト部１１ｂの引っ張り等を防止し、前ベルト部１１ａにおける腹部圧迫を回避するために、腰部伸縮部２０が付加的に設けられたものであるが、皮膚伸びが生じる腰部の必要な部分にのみ腰部伸縮部２０を設けているので最小限の横幅となっており、軽作業用ズボンとしての本来の外観を保持することができる。【００７９】
腰部保護ベルト付きズボン１は、上記したように、しゃがみ姿勢、座位姿勢等を取った場合、腰部の背骨位置から所定距離で皮膚伸びは零となる。そして当該所定距離以上（図２０において１３．５ｃｍ以上）離れた場所では、皮膚自身が縮小する。従って、このような場所に伸縮性生地１５を設けると、しゃがみ姿勢等においてズボンに不用な膨らみが生ずることになる。このような不用な膨らみは、生地の無駄となるばかりでなく突起物等に引っ掛かる危険を生ずる。よって、伸縮性生地１５の巾をポケット２２，２３の中心間の巾とほぼ一致させることが望ましい。【００８０】
上記したように、本願発明の実施例１に係る腰部保護ベルト付ズボン１は、ズボン本体１ａと、前記ズボン本体１ａの腰部に対応する位置に設けられた伸縮性生地１５と、前記ズボン本体のベルト布１０に取り付けられた腰部保護ベルト３１と、を備える。【００８１】
実施例１に係る腰部保護ベルト付きズボン１は、上記のように構成したので、着用者がしゃがんだり椅子に座ったりしても腰部保護ベルト３１の装着位置を適正な位置に維持することができる。即ち、着用者がしゃがむ等してズボン本体１ａが下方に引っ張られても、伸縮性生地１５が適宜伸びることにより、ズボンのベルト部１１（ベルト布１０）及び当該ベルト部１１に取り付けられた腰部保護ベルト３１が下方に引っ張られることがない。また、ズボンのベルト部１１が下方に引っ張られないため、着用者の腹部が過度に圧迫されるのを防ぐことができる。
【実施例２】
【００８２】
次に、本願発明の実施例２に係る腰部保護ベルト付きズボン１について説明する。なお、実施例２において、実施例１と同様の構成については同一符号を用いて示し、詳細な説明は省略する。【００８３】
図１６は、本願発明の実施例２に係る腰部保護ベルト３１０を示す。図１６に示すように、実施例２に係る腰部保護ベルト３１０は、保護ベルト本体３２の略中央（より具体的には、連結布７０）に、ズボン本体１ａに対する高さ方向の取付位置を調節できる取付位置調節部７１が設けられている。従って、着用者は、取付位置調節部７１を介して腰部保護ベルト３１０をズボン本体１ａに着脱可能に取り付けることができると共に、着用者個人の体型に応じて、腰部保護ベルト３１０を適正な位置で装着することができる。【００８４】
具体的には、取付位置調節部７１は、雄留め具及び雌留め具の一方（図１６にあっては、雄留め具７３ａ，７３ｂ，７３ｃ）を、保護ベルト本体３２の長手方向と略直交する方向に少なくとも２個（図１６にあっては３個）備えている。また、上述したように、ズボン本体１ａのベルト布１０の腰部に相当する位置において、取付位置調節部７１の雄留め具及び雌留め具の一方と係合する、雌留め具４０ｂ及び雄留め具４０ａの他方（図８，１５にあっては、雌留め具４０ｂ）を少なくとも１個（図８，１５にあっては２個）有している。なお、保護ベルト本体３２に設けた留め具（雄留め具７３ａ，７３ｂ，７３ｃ）と、ズボン本体１ａに設けた留め具（雌留め具４０ｂ，４０ｂ）により取付位置調節部７１を構成している。【００８５】
従って、着用者はズボン本体１ａに設けられた雄留め具及び雌留め具の他方（雌留め具４０ｂ）と係合する、保護ベルト本体３２に設けられた雄留め具及び雌留め具の一方（雄留め具７３ａ，７３ｂ，７３ｃ）を変えることにより、ズボン本体１ａに対する保護ベルト本体３２の取付位置を調節することができる。【００８６】
即ち、図３と図１７との対比に良く表れているように、保護ベルト本体３２の雄留め具７３ｂ，７３ｃとズボン本体１ａの雌留め具４０ｂ，４０ｂとを係合させると、保護ベルト本体３２は、ズボン本体１ａのベルト布１０に対し、相対的に下方に位置する（図３参照）。一方、保護ベルト本体３２の雄留め具７３ａ，７３ｂとズボン本体１ａの雌留め具４０ｂ，４０ｂとを係合させると保護ベルト本体３２は、ズボン本体１ａのベルト布１０に対し、相対的に上方に位置する（図１７参照）。【００８７】
以上のように、本願の実施例２に係る腰部保護ベルト付きズボン１にあっては、取付位置調節部７１によって、腰部保護ベルト３１０の装着位置を着用者の体形に合わせて調節することができる。即ち、ズボン１自体は、脇部に設けた弾性体１３によって若干のウエストサイズの違いに対応することができるが、股上の長さについては、着用者の体形の違いに対応できない。しかしながら、本願の実施例２に係る腰部保護ベルト付きズボン１にあっては、上記のように構成したので、腰部保護ベルト３１０の装着位置を、異なる体型の着用者の骨盤位置に合わせることができる。【００８８】
上記した例にあっては、腰部保護ベルト本体３２に設けられた雄留め具７３ａ，７３ｂ，７３ｃは、上下方向（腰部保護ベルト本体３２の長手方向と略直角の方向）に所定等間隔空けて配置されている。また、当該雄留め具７３ａ，７３ｂ，７３ｃと係合する、ズボン本体１ａのベルト布１０に設けられた雌留め具４０ｂ，４０ｂも、上下方向に当該所定間隔空けて配置されている。【００８９】
また、上記した例にあっては、取付位置調節部７１はテープスナップからなる。このため、取付位置調節部７１を比較的薄く形成することができ、ズボン１の装着時、着用者に与える違和感を低減することができる。また、ズボン本体１ａに対して容易に着脱できると共に、取付位置の調節も容易に行うことができる。また、腰部保護ベルト３１の装着時には、係合している雄留め具及び雌留め具に対し、左右の保護バンド５５，５９からそれぞれ略均等に引っ張り力が加えられるため、雄留め具と雌留め具との係合が容易に外れることはない。【００９０】
なお、上記した例にあっては、雄留め具７３ａ，７３ｂ，７３ｃ及び雌留め具４０ｂ，４０ｂの一方を、保護ベルト本体３２の長手方向と略直交する方向に少なくとも１個設け、雄留め具及び雌留め具の他方を、ズボン本体１ａのベルト布１０に少なくとも２個設ける構成としても良い。【００９１】
また、上記した例にあっては、雄留め具７３ａ，７３ｂ，７３ｃを腰部保護ベルト３１０に設け、雌留め具４０ｂ、４０ｂをズボン本体１ａに設けている。しかし、雄留め具７３ａ，７３ｂ，７３ｃをズボン本体１ａに設け、雌留め具４０ｂ、４０ｂを腰部保護ベルト３１０に設けても構わないことは言うまでもない。また、実施例２に係る取付位置調節部７１の構成は、上記に限定されるものではない。例えば、取付位置調節部７１は面ファスナーであっても良く、ラチェット構造の留め具からなるものであっても良い。【００９２】
なお、実施例２に係る腰部保護ベルト付きズボン１の他の構成については、実施例１と同一又は類似であって、実施例１において詳述した機能、効果は実施例においても妥当することは言うまでもない。【００９３】
以上の如く、本発明に係る腰部保護ベルト付きズボンについて実施例を示しながら具体的に説明したが、本発明に係る腰部保護ベルト付きズボンは上記した例に限定されるものではない。【００９４】
例えば、主ベルト等のサイズを具体的に示したが、これらはあくまでも例示に過ぎず、したがって、本発明に係る腰部保護ベルト及び腰部保護ベルト付きズボンのサイズはこれらの数値に限定されるものではない。【００９５】
また、上記した実施例にあっては、左補助ベルト５１及び右補助ベルト６１を、それぞれ伸縮性を有する長方形の布を折り畳むことで略Ｖ字状を形成したが、左補助ベルト５１及び右補助ベルト６１の構成はこれに限られるものではない。例えば、左補助ベルト５１及び右補助ベルト６１自体を、それぞれ伸縮性を有する略Ｖ字状に切り抜いて構成するようにしても良い。【００９６】
また、上記実施例２にあっては、取付位置調節部７１の留め具を３つ設ける構成について説明したが、留め具の数は３つに限定されるものではない。即ち、取付位置の調節精度に応じて留め具の数を変化させても良い。【００９７】
以上、本発明に係る腰部保護ベルト付きズボンを実施例１，２に基づき説明したが、具体的な構成については、上記した実施例に限られるものではなく、請求の範囲の各請求項に係る発明の要旨を逸脱しない限り、設計の変更や追加などは許容される。
【関連出願の相互参照】
【００９８】
本出願は、２０１５年１０月２７日に日本国特許庁に出願された特願２０１５−２１１３１４に基づいて優先権を主張し、そのすべての開示は完全に本明細書において参照により組み込まれる。
【符号の説明】
【００９９】
１  腰部保護ベルト付きズボン、１ａ  ズボン本体、２  前身頃、３  後身頃、１５  伸縮性生地、１６  覆い布、２０  腰部伸縮部、３１  腰部保護ベルト、３３  主ベルト、４０  着脱部、４０ａ  雄留め具、４０ｂ  雌留め具、４１  左連結体、４２  左接続面ファスナー、４３  左連結面ファスナー、４５  右連結体、４６  右連結面ファスナー、５１  右補助ベルト、６１  左補助ベルト、７０  連結布、７１  取付位置調節部、７３ａ〜７３ｃ  雄留め具
【図１】
2017073105.tif 000003
【図２】
2017073105.tif 000004
【図３】
2017073105.tif 000005
【図４】
2017073105.tif 000006
【図５】
2017073105.tif 000007
【図６】
2017073105.tif 000008
【図７】
2017073105.tif 000009
【図８】
2017073105.tif 000010
【図９】
2017073105.tif 000011
【図１０】
2017073105.tif 000012
【図１１】
2017073105.tif 000013
【図１２】
2017073105.tif 000014
【図１３】
2017073105.tif 000015
【図１４】
2017073105.tif 000016
【図１５】
2017073105.tif 000017
【図１６】
2017073105.tif 000018
【図１７】
2017073105.tif 000019
【図１８】
2017073105.tif 000020
【図１９】
2017073105.tif 000021
【図２０】
2017073105.tif 000022
【図２１】
2017073105.tif 000023
【図２２】
2017073105.tif 000024
【図２３】
2017073105.tif 000025
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
ズボンのベルト布部分に着脱可能に取り付けられる腰部保護ベルトと、
後身頃の腰部に相当する位置に伸縮性生地を設けたズボン本体と、を備え、
前記腰部保護ベルトの略中央と、これに対応する前記ズボン本体の腰部背面のベルト布部分とに、前記ズボン本体に対する高さ方向の取付位置を調節可能な位置調節部が設けられていることを特徴とする腰部保護ベルト付きズボン。
【請求項２】
前記腰部保護ベルトは、前記ズボン本体の外側に取り付けられていることを特徴とする請求項１に記載の腰部保護ベルト付ズボン。
【請求項３】
前記ズボン本体は、前記ベルト布の左腹部に相当する位置に取り付けられた左腹部面ファスナーと、前記ベルト布の右腹部に相当する位置に取り付けられた右腹部面ファスナーと、を有し、
前記腰部保護ベルトは、長手方向の略中央が前記ベルト布の腰部に相当する位置に取り付けられていると共に、伸縮性を有する部材と、前記長手方向左側に設けられて、少なくとも前記左腹部面ファスナー及び右腹部面ファスナーのいずれか一方と着脱可能に構成された左接続面ファスナーと、を有することを特徴とする請求項１または２に記載の腰部保護ベルト付ズボン。
【請求項４】
前記ズボン本体は、前記ベルト布の左腹部に相当する位置に取り付けられた左腹部面ファスナーと、前記ベルト布の右腹部に相当する位置に取り付けられた右腹部面ファスナーと、を有し、
前記腰部保護ベルトは、長手方向の略中央が前記ベルト布の腰部に相当する位置に取り付けられていると共に、伸縮性を有する部材と、前記長手方向左側に設けられて前記左腹部面ファスナーに着脱可能に構成された左接続面ファスナーと、前記長手方向右側に設けられて前記右腹部面ファスナーに着脱可能に構成された右接続面ファスナーと、を有することを特徴とする請求項１または２に記載の腰部保護ベルト付ズボン。
【請求項５】
前記腰部保護ベルトは、伸縮性を有する部材を有し、長手方向の略中央が前記ベルト布の腰部に相当する位置に取り付けられるとき、前記長手方向の左右両端部位が重なり合う長さを有すると共に、前記重なり合う部位にそれぞれ左連結面ファスナー及び右連結面ファスナーを備え、
前記左連結面ファスナーと前記右連結面ファスナーとが互いに着脱可能に構成されていることを特徴とする請求項１乃至３のいずれか１項に記載の腰部保護ベルト付きズボン。
【請求項６】
前記位置調節部は、雄留め具と雌留め具とを備え、
前記雄留め具及び雌留め具の一方は、前記腰部保護ベルトの略中央であって、前記腰部保護ベルトの長手方向と略直交する方向に少なくとも２個設けられていると共に、
前記雄留め具及び雌留め具の他方は、前記ズボン本体の腰部に相当する位置に少なくとも１個設けられていることを特徴とする請求項１乃至５のいずれか１項に記載の腰部保護ベルト付きズボン。
【請求項７】
前記位置調節部は、雄留め具と雌留め具とを備え、
前記雄留め具及び雌留め具の一方は、前記腰部保護ベルトの略中央に少なくとも１個設けられていると共に、
前記雄留め具及び雌留め具の他方は、前記ズボン本体の腰部に相当する位置であって、上下方向に少なくとも２個設けられていることを特徴とする請求項１乃至５のいずれか１項に記載の腰部保護ベルト付きズボン。
【請求項８】
前記保護ベルト本体は、
伸縮性を有する主ベルトと、
前記主ベルトの左右にそれぞれ縫製されて取り付けられた、伸縮性を有する略Ｖ字状の左補助ベルト及び右補助ベルトを有し、
前記左補助ベルトは、頂部が前記主ベルトの左側で縫製され、両端が前記主ベルトの中央側で連結布を介して縫製されており、
前記右補助ベルトは、頂部が前記主ベルトの右側で縫製され、両端が前記主ベルトに中央側で前記連結布を介して縫製されており、
前記連結布には、前記位置調節手段が設けられていることを特徴とする請求項１乃至７のいずれか１項に記載の腰部保護ベルト付ズボン。
【手続補正２】
【補正対象書類名】明細書
【補正対象項目名】００８９
【補正方法】変更
【補正の内容】
【００８９】
また、上記した例にあっては、取付位置調節部７１はテープスナップからなる。このため、取付位置調節部７１を比較的薄く形成することができ、ズボン１の装着時、着用者に与える違和感を低減することができる。また、ズボン本体１ａに対して容易に着脱できると共に、取付位置の調節も容易に行うことができる。また、腰部保護ベルト３１０の装着時には、係合している雄留め具及び雌留め具に対し、左右の補助ベルト５１，６１からそれぞれ略均等に引っ張り力が加えられるため、雄留め具と雌留め具との係合が容易に外れることはない。
【手続補正３】
【補正対象書類名】明細書
【補正対象項目名】００９９
【補正方法】変更
【補正の内容】
【００９９】
１  腰部保護ベルト付きズボン、１ａ  ズボン本体、２  前身頃、３  後身頃、１５  伸縮性生地、１６  覆い布、２０  腰部伸縮部、３１  腰部保護ベルト、３３  主ベルト、４０  着脱部、４０ａ  雄留め具、４０ｂ  雌留め具、４１  左連結体、４２  左接続面ファスナー、４３  左連結面ファスナー、４５  右連結体、４６  右連結面ファスナー、５１  左補助ベルト、６１  右補助ベルト、７０  連結布、７１  取付位置調節部、７３ａ〜７３ｃ  雄留め具
【国際調査報告】
2017073105.tif 000026
2017073105.tif 000027
2017073105.tif 000028
2017073105.tif 000029